(57)【要約】【課題】防音性能が高く、反りが発生しにくく、なおかつ製造効率面においてもすぐれた防音床材を提供する。【解決手段】防音床材１は、裏面に複数の溝部１３、１３、・・・を設けた基材１０と、基材１０の裏面側に相互に離間するように配した複数のクッション材２０、２０、・・・とを有しており、クッション材２０を、溝部１３、１３、１３を複数本ひとまとめとした溝部群１５に対応して取り付けるようにした。【選択図】図１
2016075104.tif 000002
【特許請求の範囲】
【請求項１】
裏面に複数の溝部を設けた基材と、該基材の裏面側に相互に離間するように配した複数のクッション材とを有した防音床材において、
前記クッション材は、前記溝部を複数本ひとまとめとした溝部群に対応して取り付けられていることを特徴とする防音床材。
【請求項２】
請求項１において、
前記クッション材間の空隙の幅寸法が前記溝部の幅寸法よりも大きく、かつ、前記基材の前記空隙に対応した部位に前記溝部が形成されていない、防音床材。
【請求項３】
請求項１または２において、
前記溝部群内における前記溝部の本数および溝部間隔が前記溝部群間で相互に同一とされる、防音床材。
【発明の詳細な説明】
【技術分野】
【０００１】
本発明は、裏面に複数の溝部を設けた基材と、基材の裏面側に配されたクッション材とを有した防音床材に関する。
【背景技術】
【０００２】
従来、防音床材として、図２に示したような床材が実施されている。この防音床材１００は、木質の基材１０１の裏面に複数の溝部１０２、１０２、・・・が等ピッチＬ１０、Ｌ１０で形成され、その裏面に不織布や発泡樹脂シートなどよりなるクッション材１０３が貼り付けられたものである。なお、１０４は化粧材、１０５、１０６は実結合用の凸部、凹部である。
【０００３】
また、特許文献１の図４に示した防音床材は、基材には等ピッチで複数の溝部が形成され、クッション材は複数のものが離間して設けられて構成されている。クッション材間には、基材の溝部と同程度の幅寸法の空隙が形成されている。
【０００４】
以上のような防音床材は、床スラブなどに直接貼り付けて使用されるもので、床スラブに伝播する振動（音）が、基材に形成された溝部と、クッション材内の気泡やクッション材間の空隙とにより吸収されることで、防音性能が高められるようになっている。
【先行技術文献】
【特許文献】
【０００５】
【特許文献１】特開平８−２８０１５号公報
【発明の概要】
【発明が解決しようとする課題】
【０００６】
しかしながら、上記の防音床材の基材には多数の溝部が形成してあるので、反り上がりが発生しやすい。また、反り上がりを防止するために、溝部の形成数を少なくし、その代わりにクッション材を厚くするなどして防音性能を調整してもよいが、クッション性（ふわふわ感）を高めることで歩行感が悪くなるという問題もある。
【０００７】
本発明は、このような事情を考慮して提案されたもので、その目的は、防音性能が高く、反りが発生しにくく、なおかつ製造効率面においてもすぐれた防音床材を提供することにある。
【課題を解決するための手段】
【０００８】
上記目的を達成するために、本発明の防音床材は、裏面に複数の溝部を設けた基材と、基材の裏面側に離間して配された複数のクッション材とを有した防音床材において、クッション材は、溝部を複数本ひとまとめとした溝部群に対応して取り付けられていることを特徴とする。
【発明の効果】
【０００９】
本発明の防音床材によれば、上述の構成となっているため、防音性能を高めることができ、かつ反りの発生を抑えることができる。また、このような防音床材は製造効率面においてもすぐれている。
【図面の簡単な説明】
【００１０】
【図１】本発明の一実施形態に係る防音床材の説明図である。（ａ）は一部を省略した防音床材の長手方向の縦断面図、（ｂ）は（ａ）のＡ−Ａ線に対応した同短手方向の縦断面図である。
【図２】従来の防音床材の一部を省略した縦断面図である。
【発明を実施するための形態】
【００１１】
以下に、本発明の実施の形態について、添付図面を参照しながら説明する。
【００１２】
以下の実施形態に係る防音床材１は、裏面に複数の溝部１３、１３、・・・を設けた基材１０と、基材１０の裏面側に相互に離間して配した複数のクッション材２０、２０、・・・とを有した床材である。それぞれのクッション材２０は、溝部１３、１３、１３を複数本ひとまとめとした溝部群１５に対応して取り付けられている。
【００１３】
この防音床材１の基材１０としては、複数の単板を重ねてなる合板を用いることができる。合板としては、５プライ、７プライなど種々のものを使用できる。また、合板以外の他の材料を基材１０として用いてもよい。
【００１４】
また、防音床材１の長手方向、短手方向のいずれの方向においても、基材１０の各方向の一方の側面には実結合用の凸部１１が形成され、他方の側面には凸部１１の形状に合致した凹部１２が形成されている（図１（ａ）（ｂ）参照）。
【００１５】
この防音床材１は、基材１０の表面に突き板や化粧シートよりなる化粧材３０が貼着されている。
【００１６】
基材１０の裏面には、長手方向、短手方向のそれぞれに沿って延びる、断面視同形状の複数の溝部１３、１３、・・・が形成されている。これらの溝部１３、１３、・・・は側端から反対側の側端まで貫通している（図１（ａ）（ｂ）参照）。なお、これらの溝部１３、１３、・・・は、たとえば鋸加工にて形成すればよい。
【００１７】
図１（ａ）に示すように、基材１０の短手方向（幅方向）に沿って形成された溝部１３、１３、・・・は、近傍の複数本（図例では３本）のものがひとかたまりとなって溝部群１５を構成している。この溝部群１５、１５、・・・は規則的に配列されている。本防音床材１においては、溝部群１５、１５、・・・が等ピッチで形成され、溝部群１５における溝部１３、１３、１３の本数（３本）および溝部群１５の溝部１３、１３、１３は等ピッチＬ１に形成されており、いずれの溝部群１５、１５、・・・においても同一である。なお、全溝部１３、１３、・・・の幅寸法Ｌ２は同一である。また、長手方向に沿った３本の溝部１３、１３、１３は、図１（ｂ）に示すように等間隔に設けてある。
【００１８】
また、この防音床材１では、溝部群１５の３本の溝部１３、１３、１３のすべての下方開口を覆うように、溝部群１５、１５、・・・に対応した複数のクッション材２０、２０、・・・が基材１０の裏面に貼り付けられている。クッション材２０、２０、・・・としては、ポリエチレン発泡体であるカルプが用いられている。カルプは硬めの材料なので歩行感をよりよくすることができる。なお、不織布やウレタン発泡体よりなる材料を用いてもよい。
【００１９】
クッション材２０の長手方向の寸法は、基材１０の凸部１１を除く幅寸法とおおむね合致している（図１（ｂ）参照）。つまり、クッション材２０は、基材１０の幅方向に沿って形成された溝部１３の全長を下方より覆うような寸法に形成されている（図１（ｂ）参照）。
【００２０】
また、クッション材２０、２０、・・・の幅寸法Ｌ３、Ｌ３は、溝部群１５の全３本の溝部１３、１３、１３を覆う程度の寸法とされている。本実施形態の防音床材１においては、すべてのクッション材２０、２０、・・・の幅寸法Ｌ３、Ｌ３が同一とされている。さらに、クッション材２０、２０間の空隙２５、２５、・・・の幅寸法Ｌ４、Ｌ４についても同寸法とされている。
【００２１】
要するに、図１（ａ）に示すように、等ピッチで形成された溝部群１５、１５、・・・に対応するように、クッション材２０、２０、・・・も等ピッチＬ５、Ｌ５で基材１０の裏面に貼着されている。
【００２２】
この防音床材１において離間して配されたクッション材２０、２０間の空隙２５の幅寸法は、図１（ａ）に示すように、溝部１３、１３の幅寸法よりも十分に大きい。この広めの空隙２５が防音床材１の防音効果に大きく寄与している。さらに、本防音床材１では、図１（ａ）に示すように、基材１０の空隙２５に対応した部位には溝部１３は形成されていない。
【００２３】
以上のように、本実施形態の防音床材１は、空隙２５の幅寸法Ｌ４が溝部１３の幅寸法Ｌ２よりも十分に大きいので、基材１０に形成する複数本の溝部１３、１３、・・・に相当する防音、吸音作用を期待することができる。そのため、図１（ａ）に示すように、その空隙２５に対応した基材１０の裏面の部位には溝部１３を設けなくても、従来図として図２に示した防音床材１００と同程度あるいはそれ以上の防音効果を期待することができる。
【００２４】
本実施形態に係る防音床材１と、図２に示した防音床材１００とを比較してもわかるように、基材１０、１０１（図１、図２参照）に形成された溝部１３、１０２（図１、図２参照）の本数は、図１の防音床材１のほうが格段に少ない。しかしながら、この防音床材１では、長手方向の全長にわたり空隙２５による空気層が形成されているため、従来の防音床材１００と同等の、あるいは、溝部群１５や溝部１３、空隙２５の形状、寸法によっては、それ以上の防音効果が奏せられる。
【００２５】
そして、本防音床材１は、このように従来のものに比べて基材１０に設けた溝部１３、１３、・・・の本数が少ないから、溝部１３、１３、・・・を要因とした基材１０の反り上がりの発生を軽減させることができる。
【００２６】
さらに、溝部１３、１３、１３は溝部群１５としてひとまとめとしているため、本防音床材１を製造するためには、その溝部群１５に対応した形状、寸法のクッション材２０を準備すればよい。そのため、クッション材２０を１本の溝部１３に対応するように細切れ状態に設ける必要がない。よって、防音床材１の製造効率の面においてもすぐれている。
【００２７】
また、溝部１３、・・・の幅寸法Ｌ２が同一であり、かつ溝部群１５における溝部１３、１３、１３の本数および溝部１３、１３間隔が溝部群１５、１５間で同一であるため、同一寸法のクッション材２０、・・・を用いることができる（図１（ａ）参照）。よって、本防音床材１を製造するために、クッション材２０としては１種類のものを準備すればよい。形状、寸法が同一の１種類のクッション材２０を用いればよいので、在庫管理も面倒なものとはならない。なお、防音床材１を取り扱う際の破損を防止するために、凹部１２側の端部（図１（ａ）の２点鎖線で示した部位）にクッション材２０を設けてもよいし、その端部には幅寸法の大きいクッション材２０を設けてもよい。
【００２８】
また、基材１０の裏面にクッション材２０、２０が離間した状態に配してあるため、防音床材１と、床スラブなどの下地との接着面積を減らせられる。そのため、リフォームなどの床材貼り替えの際の床材剥がし作業が楽に行える。また、防音床材１を貼り付ける際の接着剤も少なくてすむ。
【００２９】
また、この防音床材１は、溝部群１５（３つの溝部１３、１３、１３）と、空隙２５とが長手方向に交互に位置がずれて配してあるため、基材１０からクッション材２０を経て下地側へと伝播する振動の経路が広狭変化し、位置ずれも起こし複雑化する。そのため、振動（音）をより効果的に減衰することができる。
【００３０】
以上に説明した本実施形態の防音床材１は、クッション材２０、２０間に溝部１３が露出しない構成となっているが、空隙２５の部位に溝部が露出する構成であってもよい。つまり、溝部群２５には含まれない溝部が基材１０に形成されていてもよい。
【符号の説明】
【００３１】
１        防音床材
１０      基材
１３      溝部
１５      溝部群
２０      クッション材
２５      空隙
Ｌ２      溝部の幅寸法
Ｌ４      空隙の幅寸法
【図１】
2016075104.tif 000003
【図２】
2016075104.tif 000004